(57)【特許請求の範囲】
【請求項１】
吊レールＡに対して走行可能に設けられたランナ本体２と、吊戸Ｂに固定されたランナベース３と、ランナ本体２とランナベース３を連結する軸体４と、吊戸Ｂの木口側に操作部３９を備えて軸体４に対してランナベース３を上下動させる上下調整装置５と、吊戸Ｂの木口側に操作部５２を備えて軸体４に対してランナベース３を左右動させる左右調整装置６と、から構成した吊戸車に於て、ランナベース３は、吊戸Ｂに形成されている堀込穴Ｃの下半に位置されて吊戸Ｂに固定される固定体１１と、これに着脱可能に取付けられて堀込穴Ｃの上半に位置される着脱体１２と、これらの間に設けられた摺動連結手段１３及び抜止手段１４とから成り、摺動連結手段１３は、固定体１１の上部に設けられたアリ溝３０と、これに適合して着脱体１２の下部に設けられたアリ３１とから成り、抜止手段１４は、固定体１１の前側に形成されて上方と前方が開放された収容腔３２と、これに収容されて抜止部と操作部を備えた抜止体３３と、これを俯仰可能に枢結するピン３４と、抜止体３３を常時仰起させる弾性体３５と、着脱体１２に形成されて抜止体３３と掛合する抜止孔３６とから成り、着脱体１２は、外ケース１８と、これの上半内部に左右動可能に設けられる内ケース１９とから成り、上下調整装置５は、外ケース１８の前壁２１の上側に形成された段付軸穴４０と、外ケース１８の後壁２１の上側に形成された軸穴４１と、内ケース１９の前後壁２９に穿設された軸穴４２と、内ケース１９の上壁３０に穿設されて軸体４のボルト３７の頭部が上下動可能に嵌挿される縦穴４３と、段付軸穴４０及び軸穴４１，４２に依り外ケース１８と内ケース１９に対して前後軸廻りに回転可能で外ケース１８に対して前後動不能且つ所定距離だけ左右動可能に設けられた螺子棒４４と、これの前側に形成されて段付軸穴４０の大径部に位置する操作部３９と、螺子棒４４に螺合されて外ケース１８と内ケース１９に対して前後軸廻りに回転不能で前後動可能に設けられた螺子駒４５と、これに形成された傾斜案内溝４６と、これと螺子駒４５の上面とを連通すべく形成された連通孔４７と、これに前後動可能に挿通されて軸体４のボルト３７の下部に連設された支軸４８と、これの下部に形成されて傾斜案内溝４６に沿って摺動可能な案内片４９とから成り、左右調整装置６は、外ケース１８の前壁２１の下側に形成された段付軸穴５３と、外ケース１８の後壁２１の下側に形成された軸穴５４と、段付軸穴５３及び軸穴５４に依り外ケース１８に対して前後軸廻りに回転可能で前後動不能且つ所定距離だけ左右動可能に設けられた螺子棒５５と、これの前側に形成されて段付軸穴５４の大径部に位置する操作部５２と、螺子棒５５に螺合されて外ケース１８に対して前後軸廻りに回転不能で前後動可能に設けられた螺子駒５６と、外ケース１８の下部案内壁２４に形成された傾斜案内溝５７と、内ケース１９の下壁３０に形成された直線案内溝５８と、螺子駒５６に立設されて傾斜案内溝５７と直線案内溝５８に挿通された案内軸５９とから成っている事を特徴とする吊戸車。
【発明の詳細な説明】
【０００１】
【発明の属する技術分野】
本発明は、例えば吊戸等に適用される吊戸車の改良に関する。
【０００２】
【従来の技術】
従来、この種の吊戸車としては、例えば実開昭６２−２２２７７号や実開平４−１９８１号等に記載されたものが知られている。
当該吊戸車は、基本的には、吊レールに対して走行可能に設けられたランナ本体と、吊戸に固定されたランナベースと、ランナ本体とランナベースを連結する軸体と、吊戸の木口側に操作部を備えて軸体に対してランナベースを上下動させる上下調整装置とから構成されている。
而して、この様なものは、上下調整装置が設けられているので、これに依り軸体に対してランナベースを上下動する事ができ、前後の吊戸車の高さを適宜調整する事に依り吊戸を前傾又は後傾させて吊戸用枠に対する戸当たりを調整する事ができる。
【０００３】
【発明が解決しようとする課題】
ところで、吊戸に於ては、設置後に、これに依り仕切られた二つの部屋の温度が極端に異なると、表裏面の伸縮度が変わって一方の面側に反ってしまい、他の吊戸や壁等に摺接する事に依り開閉に支障を与えたり、傷が付くという難点があった。
この為、従来にあっては、吊戸と吊戸車との取付位置を左右方向にずらしてこれに対処していた。
ところが、これは、吊戸の堀込穴を開け直すと共に、広幅になった堀込穴と吊戸車との間に適宜のスペーサを介在させて吊戸車の左右方向位置を確定しなければならなかったので、非常に面倒で熟練を要する作業であった。
本発明は、叙上の問題点に鑑み、これを解消する為に創案されたもので、その目的とする処は、吊戸に対する吊戸車の取付位置を変更する事なく、走行レールに対して吊戸を左右方向に調整移動できる様にした吊戸車を提供するにある。
【０００４】
【課題を解決するための手段】
本発明の吊戸車は、基本的には、吊レールに対して走行可能に設けられたランナ本体と、吊戸に固定されたランナベースと、ランナ本体とランナベースを連結する軸体と、吊戸の木口側に操作部を備えて軸体に対してランナベースを上下動させる上下調整装置と、吊戸の木口側に操作部を備えて軸体に対してランナベースを左右動させる左右調整装置と、から構成した事に特徴が存する。
【０００５】
上下調整装置の操作部を操作すると、軸体に対してランナベースが上下動され、吊レールに対して吊戸を上下方向に調整移動する事ができ、吊戸用枠に対する戸当たりを調整する事ができる。
左右調整装置の操作部を操作すると、軸体に対してランナベースが左右動され、吊レールに対して吊戸を左右方向に調整移動する事ができ、他の吊戸や壁等に対する隙間調整を行なう事ができる。
【０００６】
【発明の実施の形態】
以下、本発明の実施の形態を、図面に基づいて説明する。
図１は、本発明の吊戸車を示す縦断側面図。図２は、図１の縦断正面図。図３は、図１の３−３横断平面図。図４は、図１の４−４横断平面図。図５は、分解斜視図である。
【０００７】
吊戸車１は、ランナ本体２、ランナベース３、軸体４、上下調整装置５、左右調整装置６とからその主要部が構成されている。吊戸車１は、吊レールＡと吊戸Ｂとの間に適用される。
【０００８】
吊レールＡは、上下壁と左右壁を備えて断面略Ｃ型を呈し、下壁に形成された溝を下にして鴨居等（図示せず）に取付けられる。吊戸Ｂは、平板状を呈し、上方角部には底が半円状を呈する堀込穴Ｃが形成されている。
【０００９】
ランナ本体２は、吊レールＡに対して走行可能に設けられたもので、この例では、吊レールＡ内に位置されてブロック状を呈する車体７と、これに設けられた前後（図１に於て左が前）の車軸８と、これらに依り車体７に対して横軸廻りに回転可能に設けられて吊レールＡの下壁の上を転動する左右の車輪９と、車体８の中央に穿設されて上が大径で下が小径な段付縦穴１０とから成っている。
【００１０】
ランナベース３は、吊戸Ｂに固定されるもので、この例では、堀込穴Ｃの下半に位置されて吊戸Ｂに固定される固定体１１と、これに着脱可能に取付けられて堀込穴Ｃの上半に位置される着脱体１２と、これらの間に設けられた摺動連結手段１３及び抜止手段１４とから成っている。
【００１１】
固定体１１は、略半柱状を呈し、半柱部１５と、これの後部から直立した直立片１６と、これらに形成された複数（半柱部１５に二つ、直立片１６に一つ）の取付穴１７とから成っている。
【００１２】
着脱体１２は、外ケース１８と、これの上半内部に左右動可能に設けられる内ケース１９とから成っている。
【００１３】
外ケース１８は、上方が開放した略薄箱状を呈し、左右壁２０と、前後壁２１と、下壁２２と、上部案内壁２３と、下部案内壁２４と、後側下部に形成されて固定体１１の直立片１６が位置される切欠２５とから成っている。外ケース１８は、左右に二分割され、一方に設けられた茸状の突起２６と、他方に設けられて突起２６が嵌合されてカシメられる窪所２７とに依り分離不能に合体される。
【００１４】
内ケース１９は、左右が開放した四枠状を呈し、前後壁２８と、上下壁２９ととから成っている。
【００１５】
摺動連結手段１３は、固定体１１の半柱部１５の上部に設けられたアリ溝３０と、これに適合して着脱体１２の外ケース１８の下部に設けられたアリ３１とから成っている。
【００１６】
抜止手段１４は、固定体１１の半柱部１５の前側に形成されて上方と前方が開放された収容腔３２と、これに収容されて抜止部と操作部を備えた抜止体３３と、これを俯仰可能に枢結するピン３４と、抜止体３３を常時仰起させる弾性体３５と、外ケース１８の下壁２２に形成されて抜止体３３と掛合する抜止孔３６とから成っている。
【００１７】
軸体４は、ランナ本体２とランナベース３を連結するもので、この例では、螺子部と軸部と頭部を備えてランナ本体２の車体７の段付縦穴１０に下から挿入されるボルト３７と、これの螺子部にワッシャを介して螺合されて段付縦穴１０の大径部に位置されるナット３８とから成り、ランナ本体２の車体７に対して旋回可能に設けられている。
【００１８】
上下調整装置５は、吊戸Ｂの木口側に操作部３９を備えて軸体４に対してランナベース３を上下動する為のもので、この例では、軸体４とランナベース３の内ケース１９との間に設けられている。
【００１９】
上下調整装置５は、外ケース１８の前壁２１の上側に形成されて前が大径で後が小径な横長の段付軸穴４０と、外ケース１８の後壁２１の上側に形成された横長の軸穴４１と、内ケース１９の前後壁２９に穿設された軸穴４２と、内ケース１９の上壁３０に穿設されて軸体４のボルト３７の頭部が上下動可能に嵌挿される縦穴４３と、段付軸穴４０及び軸穴４１，４２に依り外ケース１８と内ケース１９に対して前後軸廻りに回転可能で外ケース１８に対して前後動不能且つ所定距離だけ左右動可能に設けられた螺子棒４４と、これの前側に形成されて段付軸穴４０の大径部に位置する操作部３９と、螺子棒４４に螺合されて外ケース１８の上部案内壁２３に依り外ケース１８と内ケース１９に対して前後軸廻りに回転不能で前後動可能に設けられた螺子駒４５と、これに形成されて前方へ行くに従い下方へ行くべく傾斜（前傾）された傾斜案内溝４６と、これと螺子駒４５の上面とを連通すべく形成された連通孔４７と、これに前後動可能に挿通されて軸体４のボルト３７の下部に連設された支軸４８と、これの下部に形成されて傾斜案内溝４６に沿って摺動可能な案内片４９とから成り、所謂螺子機構とカム機構を組合わせた構造にしてある。螺子駒４５は、傾斜案内溝４６と連通孔４７の部分が左右に二分割され、一方に設けられた茸状の突起５０と、他方に設けられて突起５０が嵌合されてカシメられる窪所５１とに依り分離不能に合体される。
【００２０】
左右調整装置６は、吊戸Ｂの木口側に操作部５２を備えて軸体４に対してランナベース３を左右動する為のもので、この例では、ランナベース３の外ケース１８と内ケース１９との間に設けられている。
【００２１】
左右調整装置６は、外ケース１８の前壁２１の下側に形成されて前が大径で後が小径な横長の段付軸穴５３と、外ケース１８の後壁２１の下側に形成された横長な軸穴５４と、段付軸穴５３及び軸穴５４に依り外ケース１８に対して前後軸廻りに回転可能で前後動不能且つ所定距離だけ左右動可能に設けられた螺子棒５５と、これの前側に形成されて段付軸穴５４の大径部に位置する操作部５２と、螺子棒５５に螺合されて外ケース１８の下壁２２に依り外ケース１８に対して前後軸廻りに回転不能で前後動可能に設けられた螺子駒５６と、外ケース１８の下部案内壁２４に形成されて前方へ行くに従い右方へ行くべく傾斜（右傾）された傾斜案内溝５７と、内ケース１９の下壁３０に形成された前後方向に平行な直線案内溝５８と、螺子駒５６に立設されて傾斜案内溝５７と直線案内溝５８に挿通された案内軸５９とから成り、所謂螺子機構とカム機構を組合わせた構造にしてある。
【００２２】
次に、この様な構成に基づいて作用を述解する。
ランナベース３の固定体１１は、予め吊戸Ｂの堀込穴Ｃの下半に位置されて取付穴１７に木ネジ等の取付ねじＤが螺入される事に依り吊戸Ｂに固定される。
ランナベース３の固定体１１に対して着脱体１２を装着する際は、摺動着脱手段１３のアリ溝３０とアリ３１を掛合させて着脱体１２を後動させる。そうすると、これらが掛合されつつ着脱体１２が堀込穴Ｃの上半に位置され、着脱体１２の切欠２５と固定体１１の直立片１６が嵌合される。この時、抜止手段１４の抜止体３３が弾性体３５に依り仰起されて抜止孔３６に掛合され、固定体１１に対して着脱体１２が所謂抜止めされる。
ランナベース３の固定体１１に対して着脱体１２を離脱する際は、抜止手段１４の弾性体３５に抗して抜止体３３を俯伏させてこれを抜止孔３６から外脱した後、着脱体１２を前動させる。
【００２３】
上下調整装置５の螺子棒４４の操作部３９をドライバ等の工具（図示せず）に依り回転操作すると、螺子棒４４と螺子駒４５による螺子作用に依り螺子駒４５が前後動され、傾斜案内溝４６と案内片４９によるカム作用に依り軸体４に対してランナベース３の内ケース１９が上下動されると共に、外ケース１８及び固定体１１を介して吊戸Ｂが上下動され、吊レールＡに対して吊戸Ｂが上下方向に調整移動される。
従って、吊戸Ｂの前後に設けられた吊戸車１の高さを適宜調整する事に依り吊戸Ｂを前傾又は後傾させて吊戸用枠に対する戸当たりを調整する事ができる。
【００２４】
左右調整装置６の螺子棒５５の操作部５２をドライバ等の工具（図示せず）に依り回転操作すると、螺子棒５５と螺子駒５６による螺子作用に依り螺子駒５６が前後動され、傾斜案内溝５７と直線案内溝５８と案内軸５９によるカム作用に依り軸体４及びランナベース３の内ケース１９に対して外ケース１８が左右動され、吊レールＡに対して吊戸Ｂが左右方向に調整移動される。この時、上下調整装置５の螺子棒４４と左右調整装置６の螺子棒５５は、横長な段付軸穴４０，５３及び軸穴４１，５４に嵌合されて所定距離だけ左右動可能であるので、内ケース１９に対して外ケース１８が支障なく左右動する事ができる。
従って、他の吊戸や壁等に対する隙間調整を行なう事ができる。
【００２５】
ランナベース３を、固定体１１と着脱体１２と摺動連結手段１３と抜止手段１４とで構成したので、固定体１１に対して着脱体１２をワンタッチで着脱できると共に、取付ねじ等を用いずに着脱できる。従って、吊レールＡに対する吊戸Ｂの着脱作業が簡単に行える。
【００２７】
【発明の効果】
以上、既述した如く、本発明に依れば、次の様な優れた効果を奏する事ができる。
（１）  ランナ本体、ランナベース、軸体、上下調整装置、左右調整装置とで構成し、とりわけ吊戸の木口側に操作部を備えて軸体に対してランナベースを左右動させる左右調整装置を設けたので、吊戸に対する吊戸車の取付位置を変更する事なく、走行レールに対して吊戸を左右方向に調整移動できる。
（２）  吊戸の木口側に操作部を備えて軸体に対してランナベースを左右動させる左右調整装置を設けたので、吊戸の木口側から容易に調整作業が行えると共に、見栄えも良い。
【図面の簡単な説明】
【図１】本発明の吊戸車を示す縦断側面図。
【図２】図１の縦断正面図。
【図３】図１の３−３横断平面図。
【図４】図１の４−４横断平面図。
【図５】分解斜視図。
【符号の説明】
１…吊戸車、２…ランナ本体、３…ランナベース、４…軸体、５…上下調整装置、６…左右調整装置、７…車体、８…車軸、９…車輪、１０…段付縦穴、１１…固定体、１２…着脱体、１３…摺動連結手段、１４…抜止手段、１５…半柱部、１６…直立片、１７…取付穴、１８…外ケース、１９…内ケース、２０…左右壁、２１，２８…前後壁、２２…下壁、２３…上部案内壁、２４…下部案内壁、２５…切欠、２６，５０…突起、２７，５１…窪所、２９…上下壁、３０…アリ溝、３１…アリ、３２…収容腔、３３…抜止体、３４…ピン、３５…弾性体、３６…抜止孔、３７…ボルト、３８…ナット、３９，５２…操作部、４０，５３…段付軸穴、４１，４２，５４…軸穴、４３…縦穴、４４，５５…螺子棒、４５，５６…螺子駒、４６，５７…傾斜案内溝、５８…直線案内溝、５９…案内軸、Ａ…吊レール、Ｂ…吊戸、Ｃ…堀込穴、Ｄ…取付ねじ。
【図１】
0003626821.tif 000002
【図２】
0003626821.tif 000003
【図３】
0003626821.tif 000004
【図４】
0003626821.tif 000005
【図５】
0003626821.tif 000006